(57)【要約】【課題】優れた帯電防止性を有し、手で容易に引き裂きできる分包袋を提供する事にある。【解決手段】流れ手方向と直角に引裂直線性を有する長尺状のポリエステルフィルムからなる基材層の一方の面に部分若しくは全面の白色層を積層し、他方の面に静電気誘導防止性を有する架橋性重合体を主成分とするものからなるアンカーコート層、直鎖状低密度ポリエチレン樹脂からなるシーラント層を積層してなる積層材料を用いて、流れ方向の中心線に設けた折り目を介してシーラント層が内面側となるように２つ折りし、流れ方向と直角にヒートシール部を所定間隔で繰り返し設け、前記ヒートシール部間の折り目と反対側の端辺に開口部を設け、さらに、前記ヒートシール部の中心に開口部と直角にミシン目線を設けたものからなる。【選択図】図１
2006175105.tif 000002
【特許請求の範囲】
【請求項１】
流れ方向と直角に引裂直線性を有する長尺状のポリエステルフィルムからなる基材層の一方の面に部分若しくは全面の白色層を積層し、他方の面に静電気誘導防止性を有する架橋性重合体を主成分とするものからなるアンカーコート層、ポリオレフィン系樹脂からなるシーラント層を積層してなる積層材料を用いて、流れ方向の中心線に設けた折り目を介してシーラント層が内面側となるように２つ折りし、流れ方向と直角にヒートシール部を所定間隔で繰り返し設け、前記ヒートシール部間の折り目と反対側の端辺に開口部を設け、さらに、前記ヒートシール部の中心に開口部と直角にミシン目線を設けたものからなることを特徴とする分包袋。
【請求項２】
前記ポリオレフィン系樹脂が直鎖状低密度ポリエチレン樹脂であることを特徴とする請求項１記載の分包袋。
【発明の詳細な説明】
【技術分野】
【０００１】
本発明は、粉体や粒状の薬品などを包装する袋で、手で容易に引き裂ける分包袋に関するものである。
【背景技術】
【０００２】
従来、食品分野や非食品分野で使用される包装材料には内容物保護性、包装適性、便利性、商品性、経済性、衛生性、廃棄処理性等の各種の機能が要求され、例えば、内容物保護性としては酸素や水蒸気等で変質し易い内容物の変質を防止する為の優れたガスバリア性、包装適性としては内容物の包装時に効率良く包装する為の高速シール性、さらには包装時の静電気発生を抑制する為の優れた帯電防止性等が求められる。非食品分野、特に医薬品の包装分野では、セロファンからなる基材層の一方の面にアンカーコート層、帯電防止剤混入のポリオレフィン系樹脂からなるシーラント層を積層した積層体からなる包装材料が多く使用されている。ところが、前記基材層に使用しているセロファンは、高価であると共に製造工程時の汚水などによる環境汚染の問題などが発生し易い。これらの点を改善する為にセロファン以外のフィルムを基材層に使用した積層材料を用いた薬品などの分包袋が提案されている（例えば、特許文献１参照。）。
【特許文献１】特開２００３−６７７号公報
【発明の開示】
【発明が解決しようとする課題】
【０００３】
しかしながら、前記提案されている分包袋は、引き裂きやすくする為に分包袋の一辺にノコギリ刃状などの特殊加工を施しており、その特殊加工部分が手に引っ掛かったりするなどの不都合な点があった。
【０００４】
本発明の課題は、優れた帯電防止性を有し、手で容易に引き裂きできる分包袋を提供する事にある。
【課題を解決するための手段】
【０００５】
本発明の請求項１に係る発明は、流れ方向と直角に引裂直線性を有する長尺状のポリエステルフィルムからなる基材層の一方の面に部分若しくは全面の白色層を積層し、他方の面に静電気誘導防止性を有する架橋性重合体を主成分とするものからなるアンカーコート層、ポリオレフィン系樹脂からなるシーラント層を積層してなる積層材料を用いて、流れ方向の中心線に設けた折り目を介してシーラント層が内面側となるように２つ折りし、流れ方向と直角にヒートシール部を所定間隔で繰り返し設け、前記ヒートシール部間の折り目と反対側の端辺に開口部を設け、さらに、前記ヒートシール部の中心に開口部と直角にミシン目線を設けたものからなることを特徴とする分包袋である。
【０００６】
本発明の請求項２に係る発明は、上記請求項１に係る発明に於いて、前記ポリオレフィン系樹脂が直鎖状低密度ポリエチレン樹脂であることを特徴とする分包袋である。
【発明の効果】
【０００７】
本発明の分包袋は、流れ方向と直角に引裂直線性を有する長尺状のポリエステルフィルムからなる基材層の一方の面に部分若しくは全面の白色層を積層し、他方の面に静電気誘導防止性を有する架橋性重合体を主成分とするものからなるアンカーコート層、ポリオレフィン系樹脂からなるシーラント層を積層してなる積層材料を用いて、流れ方向の中心線に設けた折り目を介してシーラント層が内面側となるように２つ折りし、流れ方向と直角
にヒートシール部を所定間隔で繰り返し設け、前記ヒートシール部間の折り目と反対側の端辺に開口部を設け、さらに、前記ヒートシール部の中心に開口部と直角にミシン目線を設けたものからなっているので、内容物の充填時に優れた帯電防止性を有し、内容物を充填、密封後にミシン目線の部分から手で切って個々の袋を分離でき、分離された袋は折り目と直角方向に任意の位置から引き裂いて開封できる。また白色層の表面に文字などを印字できる。さらに、シーラント層に直鎖状低密度ポリエチレン樹脂を使用すればシール適性が向上する。
【発明を実施するための最良の形態】
【０００８】
本発明の分包袋を実施の形態に沿って以下に詳細に説明する。
【０００９】
図２は本発明の分包袋に使用する積層材料の一実施形態を示す側断面図であり、積層材料（１０）は厚み方向に順に、白色層（１２）、基材層（１１）、アンカーコート層（１３）、シーラント層（１４）が積層されている。
【００１０】
また、前記基材層（１１）とアンカーコート層（１３）の間に印刷層を積層しても良い。
【００１１】
前記基材層（１１）は、流れ方向と直角に引裂直線性を有する長尺状のポリエステル系フィルムからなっており、厚みは６〜５０μｍのものが使用される。具体的なフィルムの一例としては、東洋紡績（株）のＴＦ１１０フィルム（商品名）が使用できる。
【００１２】
前記白色層（１２）は、その表面に文字などを印字する時の下地層として設ける。なお、前記白色層（１２）は全面の白色層でも良い。その積層方法は、通常の印刷用白色インキを用いて公知のグラビア印刷法で印刷する。
【００１３】
前記アンカーコート層（１３）は、静電気誘導防止性を有する架橋性重合体を主成分とするものからなり、積層材料に優れた帯電防止性を付与できる。前記架橋性重合体としては、側鎖にカルボキシル基及び４級アンモニウム塩基を有する架橋性高分子が好ましい。積層方法は架橋性重合体を主成分とする塗布液を公知のグラビアコート法やロールコート法で塗布し、塗布量は０．１〜５ｇ／ｍ2（乾燥状態）が好ましい。具体的な塗布液としては、アルテック（株）の帯電防止用塗布液（商品名：ボンディップＰＡ−１００）が使用可能である。
【００１４】
前記シーラント層（１４）は、ポリオレフィン系樹脂からなっており、樹脂の種類として、低密度ポリエチレン樹脂、中密度ポリエチレン樹脂、直鎖状低密度ポリエチレン樹脂、エチレン・酢酸ビニル共重合体樹脂などのエチレン系樹脂や、ホモポリプロピレン樹脂、プロピレン・エチレンランダム共重合体樹脂、プロピレン・エチレンブロック共重合体樹脂、ポリプロピレン・α−オレフィン共重合体樹脂などのプロピレン系樹脂などが使用可能であるが、特に直鎖状低密度ポリエチレン樹脂がシール適性の点で好ましい。また、より帯電防止性を必要とする場合は、前記ポリオレフィン系樹脂に静電防止剤を添加したタイプのものを使用するのが好ましい。積層方法は前記ポリオレフィン系樹脂を公知の溶融押出ラミネーション法で積層する。厚みは特に限定しないが、通常１０〜６０μｍのものが使用される。
【００１５】
図１（ａ）は本発明の分包袋の一実施形態を示す平面図であり、（ｂ）は前記分包袋の斜視図であり、分包袋（２０）は長尺状の積層材料（１０）を用いて、流れ方向の中心線に設けた折り目（２１）を介してシーラント層が内面側となるように２つ折りし、流れ方向と直角に所定間隔でヒートシール部（２３、２４、２５）を設けており、各ヒートシール部間の折り目（２１）の反対側の端辺に開口部（２２）を設けており、各ヒートシール
部（２３、２４、２５）の中心にミシン目線（２６）を設けている。さらに、基材層の上には白色層（１２）が設けられており、文字などの必要事項を白色層（１２）の表面に印字できるようになっている。また、積層材料を折り返した部分には空間（２７）を有している。
【００１６】
前記分包袋（２０）に内容物、例えば粉末状の医薬品を充填後、開口部（２２）をシールしたものは、使用時にミシン目線（２６）から順次、個々の袋を切り離すことができ、切り離した袋は容易に折り目と直角方向に任意の位置から切り裂いて、開封できる。
【図面の簡単な説明】
【００１７】
【図１】（ａ）は本発明の分包袋の一実施形態を示す平面図であり、（ｂ）は分包袋の斜視図である。
【図２】本発明の分包袋に使用する積層材料の一実施形態を示す側断面図である。
【符号の説明】
【００１８】
１０…積層材料
１１…基材層
１２…白色層
１３…接着剤層
１４…シーラント層
２０…分包袋
２１…折り目
２２…開口部
２３，２４，２５…ヒートシール部
２６…ミシン目線
２７…空間
【図１】
2006175105.tif 000003
【図２】
2006175105.tif 000004